(57)【要約】【課題】本発明は養魚池用誘蛾灯を開示した。【解決手段】本発明は養魚池用誘蛾灯を公示し、筺体を含み、前記筺体の頂面には太陽エネルギーを利用して発電でき、且つ灯りを利用して虫を誘導できる虫誘導機構が設置され、前記虫誘導機構は前記筺体の頂面に固定的に装着されたソーラーパネルを含み、前記ソーラーパネルの底面には電線が固定的に連結され、前記ソーラーパネルと前記電線とは前記虫誘導機構にエネルギーを提供でき、昼間にソーラーパネルが太陽エネルギーを吸収でき、夜間になるとソーラーパネルは電線を通じて誘蛾灯に電気供給でき、また、スライドチャンバにはポジションスイッチが設置され、大型灯と小型灯とを交替して働け、虫誘導機構が作動する時のエネルギー消耗を減少できる。【選択図】図１
2020195357.tif 000002
【特許請求の範囲】
【請求項１】
正面視で、筺体を含み、前記筺体の頂面には太陽エネルギーを利用して発電でき、且つ灯りを利用して虫を誘導できる虫誘導機構が設置され、前記虫誘導機構は前記筺体の頂面に固定的に装着されたソーラーパネルを含み、前記ソーラーパネルの底面には電線が固定的に連結され、前記ソーラーパネルと前記電線とは前記虫誘導機構にエネルギーを提供でき、前記筺体の左側面には左方に開口した入口が設置され、前記入口と前記筺体との間に虫を捕獲できる虫捕獲機構が設置され、前記虫捕獲機構は前記入口の右側に連通するように設置されたスライドチャンバを含み、前記スライドチャンバの中には捕獲ブロックがスライド可能に装着され、前記捕獲ブロックの中には捕獲チャンバが設置され、前記スライドチャンバの右側にはモータが設置され、前記モータの左向きの出力軸の左側面には動力軸が固定的に装着され、前記スライドチャンバ中にある前記動力軸にはリールが固定的に装着され、前記リールには牽引縄が巻き付いており、前記牽引縄と前記捕獲ブロックの底面とは固定的に連結され、前記モータが動力軸によって前記リールの回転を連動させる時に、前記リールは前記牽引縄によって前記捕獲ブロックを下へ引き動かし、前記捕獲チャンバの中に入った虫を下へ移動連動させ、
前記筺体の底面には下方に開口した水管が設置され、前記水管の左側には水が装置に流れ入る通路を開閉できる制御機構が設置され、前記筺体の中には虫が混ざった水を装置から排出できる排水機構が設置されていることを特徴とする養魚池用誘蛾灯。
【請求項２】
前記筺体の底面には漂浮層が固定的に装着され、前記漂浮層は発泡材料で構成され、周面は円弧輪郭という設計を用い、
筺体に浮力を提供し、水面に漂わせることができ、風と波で装置がひっくり返ることも防げることを特徴とする請求項１に記載の養魚池用誘蛾灯。
【請求項３】
前記虫誘導機構は照明チャンバと、大型灯と、ポジションスイッチと、輔助チャンバと、排水チャンバと、小型灯とによって構成され、
前記スライドチャンバの右側には照明チャンバが連通するように設置され、前記照明チャンバの右側内壁には大型灯が固定的に装着され、前記大型灯と前記電線とは固定的に連結され、前記スライドチャンバの右側内壁にはポジションスイッチが固定的に装着され、前記ポジションスイッチと前記電線とは固定的に連結され、前記照明チャンバの下方には前記スライドチャンバと連通した輔助チャンバが設置され、前記輔助チャンバの右側には排水チャンバが連通するように設置され、前記排水チャンバの後側内壁には小型灯が固定的に装着され、前記小型灯と前記電線とは固定的に連結されていることを特徴とする請求項１に記載の養魚池用誘蛾灯。
【請求項４】
前記虫捕獲機構は推動溝と、旋転チャンバと、第一ばねとによって構成され、
前記スライドチャンバの左側には推動溝が設置され、前記推動溝の下方には旋転チャンバが設置され、前記動力軸は左へ伸びて前記旋転チャンバの左側内壁を貫通し、前記捕獲ブロックの頂面と前記スライドチャンバの頂壁との間には第一ばねが固定的に装着されていることを特徴とする請求項１に記載の養魚池用誘蛾灯。
【請求項５】
前記制御機構は噛合チャンバと、伝動軸と、歯車と、引掛り溝と、歯ブロックと、押し溝と、押しブロックと、制限溝と、制限ブロックと、第二ばねとによって構成され、
前記スライドチャンバの右側には噛合チャンバが連通するように設置され、前記噛合チャンバの前後内壁の間には伝動軸が回転可能に装着され、前記伝動軸には歯車が固定的に装着され、前記歯車は前記捕獲ブロックと噛み合うことができ、前記噛合チャンバの右側には引掛り溝が連通するように設置され、前記引掛り溝の中には歯ブロックがスライド可能に装着され、前記歯ブロックと前記歯車とは噛み合っており、前記歯ブロックの下方には押し溝が設置され、前記押し溝には押しブロックがスライド可能に装着され、前記押し溝の下方には制限溝が連通するように設置され、前記制限溝と前記水管とは連通しており、前記制限溝の中には制限ブロックがスライド可能に装着され、前記制限ブロックの左側面と前記制限溝の左側内壁との間には第二ばねが固定的に装着され、前記制限ブロックと前記押しブロックとはスライド可能に装着されていることを特徴とする請求項１に記載の養魚池用誘蛾灯。
【請求項６】
前記照明チャンバの中にはガラス板が固定的に装着され、前記排水チャンバの中にはガラス層が固定的に装着されていることを特徴とする請求項１に記載の養魚池用誘蛾灯。
【請求項７】
前記排水機構は伝動チャンバと、第一傘歯車と、スリップバーと、第二傘歯車と、第三傘歯車と、旋転軸と、第四傘歯車と、圧力ブロックと、ネジ山溝とによって構成され、
前記噛合チャンバの後側には伝動チャンバが連通するように設置され、前記歯車の後側にある前記伝動軸には第一傘歯車が固定的に装着され、前記伝動チャンバの右側内壁にはスリップバーが回転可能に装着され、前記スリップバーは左へ伸びて前記噛合チャンバの右壁を貫通し、前記スリップバーの左側面には第二傘歯車が固定的に装着され、前記第二傘歯車と前記第一傘歯車とは噛み合っており、前記スリップバーには第三傘歯車が固定的に装着され、前記伝動チャンバと前記排水チャンバとの間には旋転軸が回転可能に装着され、前記旋転軸の頂面には第四傘歯車が固定的に装着され、前記第四傘歯車と前記第三傘歯車とは噛み合っており、前記排水チャンバの中には圧力ブロックがスライド可能に装着され、前記圧力ブロックの中にはネジ山溝が設置され、前記ネジ山溝と前記旋転軸とはネジ山によって装着されていることを特徴とする請求項１に記載の養魚池用誘蛾灯。
【請求項８】
前記推動溝の中には推動ブロックがスライド可能に装着され、前記推動ブロックの中には抜き穴が設置され、前記推動ブロックの底面には傾斜溝が設置され、前記旋転チャンバの中にある前記動力軸にはネジ山ブロックがネジ山によって連結され、前記ネジ山ブロックの中には環状溝が設置され、前記環状溝の中には付勢ブロックがスライド可能に装着され、前記付勢ブロックと前記傾斜溝とはスライド可能に装着されていることを特徴とする請求項１に記載の養魚池用誘蛾灯。
【発明の詳細な説明】
【技術分野】
【０００１】
本発明は誘蛾灯灯具分野を取り上げ、具体的には養魚池用誘蛾灯である。
【背景技術】
【０００２】
経済発展と生活水準の向上につれ、人々が食用魚の質に対する要求も段々厳しくなり、そのため、高品質で無公害のエコ養殖魚が多くの人に愛食され、エコ養殖魚に対する需要も段々大きくなる。しかし、このタイプの魚は昆虫餌でしか養殖できなく、コストは非常に高い。従って、養魚池に漂える誘蛾灯を設計し、養魚池付近の虫を餌として利用し、コストを下げる必要があり、
一般的な養魚池用誘蛾灯は昼間において非作動状態にあり、そして夜になると灯りがつけっぱなしで省エネルギーとは言い難い。また、虫の誘導捕獲と同時に、出入り口を閉鎖することができず、一部の虫を取り逃がしてしまい、効率が悪い。さらに、一般的な養魚池用誘蛾灯は虫を即死させることができなく、虫が逃げる可能性がある。他にも、一般的な養魚池用誘蛾灯は漂浮能力が足りず、暴風大雨に遭うと沈没する恐れがある。
【先行技術文献】
【特許文献】
【０００３】
【特許文献１】中国特許出願公開第１０４７９８７５４号明細書
【発明の概要】
【発明が解決しようとする課題】
【０００４】
本発明は養魚池用誘蛾灯を提供し、既存技術にある上記の欠点を解消することを目的とする。
【課題を解決するための手段】
【０００５】
本発明の養魚池用誘蛾灯は、筺体を含み、前記筺体の頂面には太陽エネルギーを利用して発電でき、且つ灯りを利用して虫を誘導できる虫誘導機構が設置され、前記虫誘導機構は前記筺体の頂面に固定的に装着されたソーラーパネルを含み、前記ソーラーパネルの底面には電線が固定的に連結され、前記ソーラーパネルと前記電線とは前記虫誘導機構にエネルギーを提供でき、前記筺体の左側面には左方に開口した入口が設置され、前記入口と前記筺体との間に虫を捕獲できる虫捕獲機構が設置され、前記虫捕獲機構は前記入口の右側に連通するように設置されたスライドチャンバを含み、前記スライドチャンバの中には捕獲ブロックがスライド可能に装着され、前記捕獲ブロックの中には捕獲チャンバが設置され、前記スライドチャンバの右側にはモータが設置され、前記モータの左向きの出力軸の左側面には動力軸が固定的に装着され、前記スライドチャンバ中にある前記動力軸にはリールが固定的に装着され、前記リールには牽引縄が巻き付いており、前記牽引縄と前記捕獲ブロックの底面とは固定的に連結され、前記モータが動力軸によって前記リールの回転を連動させる時に、前記リールは前記牽引縄によって前記捕獲ブロックを下へ引き動かし、前記捕獲チャンバの中に入った虫を下へ移動連動させ、
前記筺体の底面には下方に開口した水管が設置され、前記水管の左側には水が装置に流れ入る通路を開閉できる制御機構が設置され、前記筺体の中には虫が混ざった水を装置から排出できる排水機構が設置されている。
【０００６】
前述した技術プランに基づき、前記筺体の底面には漂浮層が固定的に装着され、前記漂浮層は発泡材料で構成され、周面は円弧輪郭という設計を用い、筺体に浮力を提供し、水面に漂わせることができ、風と波で装置がひっくり返ることも防げる。
【０００７】
前述した技術プランに基づき、前記虫誘導機構は前記スライドチャンバの右側に連通するように設置された照明チャンバを含み、前記照明チャンバの右側内壁には大型灯が固定的に装着され、前記大型灯と前記電線とは固定的に連結され、前記スライドチャンバの右側内壁にはポジションスイッチが固定的に装着され、前記ポジションスイッチと前記電線とは固定的に連結され、前記照明チャンバの下方には前記スライドチャンバと連通した輔助チャンバが設置され、前記輔助チャンバの右側には排水チャンバが連通するように設置され、前記排水チャンバの後側内壁には小型灯が固定的に装着され、前記小型灯と前記電線とは固定的に連結されている。
【０００８】
前述した技術プランに基づき、前記虫捕獲機構は前記スライドチャンバの左側に設置された推動溝を含み、前記推動溝の下方には旋転チャンバが設置され、前記動力軸は左へ伸びて前記旋転チャンバの左側内壁を貫通し、前記捕獲ブロックの頂面と前記スライドチャンバの頂壁との間には第一ばねが固定的に装着されている。
【０００９】
前述した技術プランに基づき、前記制御機構は前記スライドチャンバの右側に連通するように設置された噛合チャンバを含み、前記噛合チャンバの前後内壁の間には伝動軸が回転可能に装着され、前記伝動軸には歯車が固定的に装着され、前記歯車は前記捕獲ブロックと噛み合うことができ、前記噛合チャンバの右側には引掛り溝が連通するように設置され、前記引掛り溝の中には歯ブロックがスライド可能に装着され、前記歯ブロックと前記歯車とは噛み合っており、前記歯ブロックの下方には押し溝が設置され、前記押し溝には押しブロックがスライド可能に装着され、前記押し溝の下方には制限溝が連通するように設置され、前記制限溝と前記水管とは連通しており、前記制限溝の中には制限ブロックがスライド可能に装着され、前記制限ブロックの左側面と前記制限溝の左側内壁との間には第二ばねが固定的に装着され、前記制限ブロックと前記押しブロックとはスライド可能に装着されている。
【００１０】
前述した技術プランに基づき、前記照明チャンバの中にはガラス板が固定的に装着され、前記排水チャンバの中にはガラス層が固定的に装着されている。
【００１１】
前述した技術プランに基づき、前記排水機構は前記噛合チャンバの後側に連通するように設置された伝動チャンバを含み、前記歯車の後側にある前記伝動軸には第一傘歯車が固定的に装着され、前記伝動チャンバの右側内壁にはスリップバーが回転可能に装着され、前記スリップバーは左へ伸びて前記噛合チャンバの右壁を貫通し、前記スリップバーの左側面には第二傘歯車が固定的に装着され、前記第二傘歯車と前記第一傘歯車とは噛み合っており、前記スリップバーには第三傘歯車が固定的に装着され、前記伝動チャンバと前記排水チャンバとの間には旋転軸が回転可能に装着され、前記旋転軸の頂面には第四傘歯車が固定的に装着され、前記第四傘歯車と前記第三傘歯車とは噛み合っており、前記排水チャンバの中には圧力ブロックがスライド可能に装着され、前記圧力ブロックの中にはネジ山溝が設置され、前記ネジ山溝と前記旋転軸とはネジ山によって装着されている。
【００１２】
前述した技術プランに基づき、前記推動溝の中には推動ブロックがスライド可能に装着され、前記推動ブロックの中には抜き穴が設置され、前記推動ブロックの底面には傾斜溝が設置され、前記旋転チャンバの中にある前記動力軸にはネジ山ブロックがネジ山によって連結され、前記ネジ山ブロックの中には環状溝が設置され、前記環状溝の中には付勢ブロックがスライド可能に装着され、前記付勢ブロックと前記傾斜溝とはスライド可能に装着されている。
【発明の効果】
【００１３】
本発明のメリットは：本発明にはソーラーパネルによって制御される虫誘導機構が設置され、昼間にソーラーパネルが太陽エネルギーを吸収でき、夜間になるとソーラーパネルは電線を通じて誘蛾灯に電気供給でき、また、スライドチャンバにはポジションスイッチが設置され、大型灯と小型灯とを交替して働け、虫誘導機構が作動する時のエネルギー消耗を減少でき、さらに、スライドチャンバの中には推動ブロックが設置され、虫捕獲機構が虫を捕獲すると同時に捕獲チャンバと外部との通路を閉鎖し、虫が逃げることを防げ、他にも、装置の中には水の出入りを制御できる制御機構と排水機構が設置され、水で虫を養魚池に流し、餌として利用でき、虫捕獲の効率を向上させる。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の養魚池用誘蛾灯の全体構成略図
【図２】図２は図１におけるＡ―Ａ方向からの断面構成略図
【図３】図３は図１におけるＢ―Ｂ方向からの断面構成略図
【図４】図４は図１におけるＣ―Ｃ方向からの断面構成略図
【発明を実施するための形態】
【００１６】
図１〜４を参照し、本発明の養魚池用誘蛾灯は、筺体９９を含み、前記筺体９９の頂面には太陽エネルギーを利用して発電でき、且つ灯りを利用して虫を誘導できる虫誘導機構１０９が設置され、前記虫誘導機構１０９は前記筺体９９の頂面に固定的に装着されたソーラーパネル１１を含み、前記ソーラーパネル１１の底面には電線４０が固定的に連結され、前記ソーラーパネル１１と前記電線４０とは前記虫誘導機構１０９にエネルギーを提供でき、前記筺体９９の左側面には左方に開口した入口１７が設置され、前記入口１７と前記筺体９９との間に虫を捕獲できる虫捕獲機構１０７が設置され、前記虫捕獲機構１０７は前記入口１７の右側に連通するように設置されたスライドチャンバ１４を含み、前記スライドチャンバ１４の中には捕獲ブロック１２がスライド可能に装着され、前記捕獲ブロック１２の中には捕獲チャンバ９４が設置され、前記スライドチャンバ１４の右側にはモータ３０が設置され、前記モータ３０の左向きの出力軸の左側面には動力軸２５が固定的に装着され、前記スライドチャンバ１４中にある前記動力軸２５にはリール２６が固定的に装着され、前記リール２６には牽引縄２７が巻き付いており、前記牽引縄２７と前記捕獲ブロック１２の底面とは固定的に連結され、前記モータ３０が動力軸２５によって前記リール２６の回転を連動させる時に、前記リール２６は前記牽引縄２７によって前記捕獲ブロック１２を下へ引き動かし、前記捕獲チャンバ９４の中に入った虫を下へ移動連動させ、前記筺体９９の底面には下方に開口した水管２９が設置され、前記水管２９の左側には水が装置に流れ入る通路を開閉できる制御機構１０５が設置され、前記筺体９９の中には虫が混ざった水を装置から排出できる排水機構１０３が設置されている。
【００１７】
また、前記筺体９９の底面には漂浮層８８が固定的に装着され、前記漂浮層８８は発泡材料で構成され、周面は円弧輪郭という設計を用い、
筺体９９に浮力を提供し、水面に漂わせることができ、風と波で装置がひっくり返ることも防げる。
【００１８】
また、前記虫誘導機構１０９は前記スライドチャンバ１４の右側に連通するように設置された照明チャンバ３９を含み、前記照明チャンバ３９の右側内壁には大型灯３８が固定的に装着され、前記大型灯３８と前記電線４０とは固定的に連結され、前記スライドチャンバ１４の右側内壁にはポジションスイッチ２８が固定的に装着され、前記ポジションスイッチ２８と前記電線４０とは固定的に連結され、前記照明チャンバ３９の下方には前記スライドチャンバ１４と連通した輔助チャンバ３２が設置され、前記輔助チャンバ３２の右側には排水チャンバ４９が連通するように設置され、前記排水チャンバ４９の後側内壁には小型灯４１が固定的に装着され、前記小型灯４１と前記電線４０とは固定的に連結され、
昼間の時に、ソーラーパネル１１は太陽エネルギーを吸収して電気を貯め、夜間になると、ソーラーパネル１１が発電し、大型灯３８に発光させ、大型灯３８は外部の虫を入口１７から捕獲チャンバ９４の中に誘導し、虫捕獲機構１０７が運動しポジションスイッチ２８を圧迫する時に、大型灯３８の通電状態は解除され、且つ小型灯４１は通電されて発光し、虫を排水チャンバ４９の中に誘導する。
【００１９】
また、前記虫捕獲機構１０７は前記スライドチャンバ１４の左側に設置された推動溝１５を含み、前記推動溝１５の下方には旋転チャンバ２２が設置され、前記動力軸２５は左へ伸びて前記旋転チャンバ２２の左側内壁を貫通し、前記捕獲ブロック１２の頂面と前記スライドチャンバ１４の頂壁との間には第一ばね１３が固定的に装着され、
虫が大型灯３８の光線に誘導されて捕獲チャンバ９４の中に入った時、モータ３０は回転し動力軸２５の回転を連動させ、動力軸２５の回転はリール２６の回転を連動させ、リール２６の回転は牽引縄２７によって捕獲ブロック１２を下へ引き動かし、捕獲チャンバ９４の中の虫を下へ移動連動させ、モータ３０が逆回転した後に、第一ばね１３は捕獲ブロック１２を引張って上へ移動させ、復位を完了する。  
【００２０】
また、前記制御機構１０５は前記スライドチャンバ１４の右側に連通するように設置された噛合チャンバ３６を含み、前記噛合チャンバ３６の前後内壁の間には伝動軸３４が回転可能に装着され、前記伝動軸３４には歯車３５が固定的に装着され、前記歯車３５は前記捕獲ブロック１２と噛み合うことができ、前記噛合チャンバ３６の右側には引掛り溝３７が連通するように設置され、前記引掛り溝３７の中には歯ブロック３１がスライド可能に装着され、前記歯ブロック３１と前記歯車３５とは噛み合っており、前記歯ブロック３１の下方には押し溝６６が設置され、前記押し溝６６には押しブロック５０がスライド可能に装着され、前記押し溝６６の下方には制限溝５３が連通するように設置され、前記制限溝５３と前記水管２９とは連通しており、前記制限溝５３の中には制限ブロック５１がスライド可能に装着され、前記制限ブロック５１の左側面と前記制限溝５３の左側内壁との間には第二ばね５２が固定的に装着され、前記制限ブロック５１と前記押しブロック５０とはスライド可能に装着され、
捕獲チャンバ９４の中の虫が排水チャンバ４９の中に入った後に、モータ３０が逆回転し捕獲ブロック１２を上へ移動連動させ、捕獲ブロック１２は伝動軸３４と歯車３５とによって歯ブロック３１を下へ移動連動させ、歯ブロック３１は押しブロック５０によって制限ブロック５１を左へスライド連動させ、水管２９は制限ブロック５１に塞がられなくなり、水は上に流れ排水チャンバ４９の中には入り、虫を水没させる。
【００２１】
また、前記照明チャンバ３９の中にはガラス板１８が固定的に装着され、前記排水チャンバ４９の中にはガラス層４２が固定的に装着され、
大型灯３８と小型灯４１とが発光する時に、虫は灯に近づきすぎて焼き殺される恐れがあり、長期に渡ると、ライプシェードは遮蔽され、虫誘導の効率に響き、従って、設置されたガラス板１８とガラス層４２とは断熱もでき、照明光度も保証できる。
【００２２】
また、前記排水機構１０３は前記噛合チャンバ３６の後側に連通するように設置された伝動チャンバ５４を含み、前記歯車３５の後側にある前記伝動軸３４には第一傘歯車４３が固定的に装着され、前記伝動チャンバ５４の右側内壁にはスリップバー５６が回転可能に装着され、前記スリップバー５６は左へ伸びて前記噛合チャンバ３６の右壁を貫通し、前記スリップバー５６の左側面には第二傘歯車３３が固定的に装着され、前記第二傘歯車３３と前記第一傘歯車４３とは噛み合っており、前記スリップバー５６には第三傘歯車５５が固定的に装着され、前記伝動チャンバ５４と前記排水チャンバ４９との間には旋転軸４６が回転可能に装着され、前記旋転軸４６の頂面には第四傘歯車４５が固定的に装着され、前記第四傘歯車４５と前記第三傘歯車５５とは噛み合っており、前記排水チャンバ４９の中には圧力ブロック４８がスライド可能に装着され、前記圧力ブロック４８の中にはネジ山溝４７が設置され、前記ネジ山溝４７と前記旋転軸４６とはネジ山によって装着され、
捕獲ブロック１２が下へスライドする時に、捕獲ブロック１２は歯車３５によって伝動軸３４の回転を連動させ、伝動軸３４は第一傘歯車４３によって第二傘歯車３３の回転を連動させ、第二傘歯車３３はスリップバー５６によって第三傘歯車５５の回転を連動させ、第三傘歯車５５は第四傘歯車４５によって旋転軸４６の回転を連動させ、旋転軸４６の回転によって圧力ブロックは下へ押し動かされ、排水チャンバ４９の中にある虫の混ざった水を養魚池に排出する。
【００２３】
また、前記推動溝１５の中には推動ブロック１６がスライド可能に装着され、前記推動ブロック１６の中には抜き穴９５が設置され、前記推動ブロック１６の底面には傾斜溝２１が設置され、前記旋転チャンバ２２の中にある前記動力軸２５にはネジ山ブロック２３がネジ山によって連結され、前記ネジ山ブロック２３の中には環状溝２４が設置され、前記環状溝２４の中には付勢ブロック２０がスライド可能に装着され、前記付勢ブロック２０と前記傾斜溝２１とはスライド可能に装着され、
モータ３０が動力軸２５の回転を連動させた後に、ネジ山ブロック２３は付勢ブロック２０によって推動ブロック１６と抜き穴９５とを上へ移動連動させ、捕獲チャンバ９４と入口１７との間の通路を即時に閉鎖し、捕獲チャンバ９４の中にいる虫を逃がすことはない。
【００２４】
利用時に、昼間の時に、ソーラーパネル１１は太陽エネルギーを吸収して電気を貯め、夜間になると、ソーラーパネル１１が発電し大型灯３８に発光させ、大型灯３８は外部の虫を入口１７から捕獲チャンバ９４の中に誘導し、虫捕獲機構１０７が運動しポジションスイッチ２８を圧迫する時に、大型灯３８の通電状態は解除され、且つ小型灯４１は通電されて発光し、虫を排水チャンバ４９の中に誘導し、虫が大型灯３８の光線に誘導されて捕獲チャンバ９４の中に入った時、モータ３０は回転し動力軸２５の回転を連動させ、動力軸２５の回転はリール２６の回転を連動させ、リール２６の回転は牽引縄２７によって捕獲ブロック１２を下へ引き動かし、捕獲チャンバ９４の中の虫を下へ移動連動させ、モータ３０が逆回転した後に、第一ばね１３は捕獲ブロック１２を引張って上へ移動させ、復位を完了し、捕獲チャンバ９４の中の虫が排水チャンバ４９の中に入った後に、モータ３０が逆回転し捕獲ブロック１２を上へ移動連動させ、捕獲ブロック１２は伝動軸３４と歯車３５によって歯ブロック３１を下へ移動連動させ、歯ブロック３１は押しブロック５０によって制限ブロック５１を左へスライド連動させ、水管２９は制限ブロック５１に塞がられなくなり、水は上に流れ排水チャンバ４９の中には入り、虫を水没させ、捕獲ブロック１２が下へスライドする時に、捕獲ブロック１２は歯車３５によって伝動軸３４の回転を連動させ、伝動軸３４は第一傘歯車４３によって第二傘歯車３３の回転を連動させ、第二傘歯車３３はスリップバー５６によって第三傘歯車５５の回転を連動させ、第三傘歯車５５は第四傘歯車４５によって旋転軸４６の回転を連動させ、旋転軸４６の回転によって圧力ブロック４８は下へ押し動かされ、排水チャンバ４９の中にある虫の混ざった水を養魚池に排出し、モータ３０が動力軸２５の回転を連動させた後に、ネジ山ブロック２３は付勢ブロック２０によって推動ブロック１６と抜き穴９５とを上へ移動連動させ、捕獲チャンバ９４と入口１７との間の通路を即時に閉鎖し、捕獲チャンバ９４の中にいる虫を逃がすことはない。
【００２５】
本発明のメリットは：本発明にはソーラーパネルによって制御される虫誘導機構が設置され、昼間にソーラーパネルが太陽エネルギーを吸収でき、夜間になるとソーラーパネルは電線を通じて誘蛾灯に電気供給でき、また、スライドチャンバにはポジションスイッチが設置され、大型灯と小型灯とを交替して働け、虫誘導機構が作動する時のエネルギー消耗を減少でき、さらに、スライドチャンバの中には推動ブロックが設置され、虫捕獲機構が虫を捕獲すると同時に捕獲チャンバと外部との通路を閉鎖し、虫が逃げることを防げ、他にも、装置の中には水の出入りを制御できる制御機構と排水機構が設置され、水で虫を養魚池に流し、餌として利用でき、虫捕獲の効率を向上させる。
【００２６】
以上に述べたのは本発明の例示的実施形態であり、本発明を限定するものではなく、本発明の意義と原則のもとで行われたいかなるの修正、同等の入れ替えと改善などは本実用新型の保護範囲に含まれる。
【図１】
2020195357.tif 000003
【図２】
2020195357.tif 000004
【図３】
2020195357.tif 000005
【図４】
2020195357.tif 000006
【手続補正書】
【提出日】令和2年1月13日(2020.1.13)
【手続補正１】
【補正対象書類名】特許請求の範囲
【補正対象項目名】全文
【補正方法】変更
【補正の内容】
【特許請求の範囲】
【請求項１】
正面視で、筺体を含み、前記筺体の頂面には太陽エネルギーを利用して発電でき、且つ灯りを利用して虫を誘導できる虫誘導機構が設置され、前記虫誘導機構は前記筺体の頂面に固定的に装着されたソーラーパネルを含み、前記ソーラーパネルの底面には電線が固定的に連結され、前記ソーラーパネルと前記電線とは前記虫誘導機構にエネルギーを提供でき、前記筺体の左側面には左方に開口した入口が設置され、前記入口と前記筺体との間に虫を捕獲できる虫捕獲機構が設置され、前記虫捕獲機構は前記入口の右側に連通するように設置されたスライドチャンバを含み、前記スライドチャンバの中には捕獲ブロックがスライド可能に装着され、前記捕獲ブロックの中には捕獲チャンバが設置され、前記スライドチャンバの右側にはモータが設置され、前記モータの左向きの出力軸の左側面には動力軸が固定的に装着され、前記スライドチャンバ中にある前記動力軸にはリールが固定的に装着され、前記リールには牽引縄が巻き付いており、前記牽引縄と前記捕獲ブロックの底面とは固定的に連結され、前記モータが動力軸によって前記リールの回転を連動させる時に、前記リールは前記牽引縄によって前記捕獲ブロックを下へ引き動かし、前記捕獲チャンバの中に入った虫を下へ移動連動させ、
前記筺体の底面には下方に開口した水管が設置され、前記水管の左側には水が装置に流れ入る通路を開閉できる制御機構が設置され、前記筺体の中には虫が混ざった水を装置から排出できる排水機構が設置されていることを特徴とする養魚池用誘蛾灯。
【請求項２】
前記筺体の底面には漂浮層が固定的に装着され、前記漂浮層は発泡材料で構成され、周面は円弧輪郭という設計を用い、
筺体に浮力を提供し、水面に漂わせることができ、風と波で装置がひっくり返ることも防げることを特徴とする請求項１に記載の養魚池用誘蛾灯。
【請求項３】
前記虫誘導機構は照明チャンバと、大型灯と、ポジションスイッチと、輔助チャンバと、排水チャンバと、小型灯とによって構成され、
前記スライドチャンバの右側には照明チャンバが連通するように設置され、前記照明チャンバの右側内壁には大型灯が固定的に装着され、前記大型灯と前記電線とは固定的に連結され、前記スライドチャンバの右側内壁にはポジションスイッチが固定的に装着され、前記ポジションスイッチと前記電線とは固定的に連結され、前記照明チャンバの下方には前記スライドチャンバと連通した輔助チャンバが設置され、前記輔助チャンバの右側には排水チャンバが連通するように設置され、前記排水チャンバの後側内壁には小型灯が固定的に装着され、前記小型灯と前記電線とは固定的に連結されていることを特徴とする請求項２に記載の養魚池用誘蛾灯。
【請求項４】
前記虫捕獲機構は推動溝と、旋転チャンバと、第一ばねとによって構成され、
前記スライドチャンバの左側には推動溝が設置され、前記推動溝の下方には旋転チャンバが設置され、前記動力軸は左へ伸びて前記旋転チャンバの左側内壁を貫通し、前記捕獲ブロックの頂面と前記スライドチャンバの頂壁との間には第一ばねが固定的に装着されていることを特徴とする請求項３に記載の養魚池用誘蛾灯。
【請求項５】
前記制御機構は噛合チャンバと、伝動軸と、歯車と、引掛り溝と、歯ブロックと、押し溝と、押しブロックと、制限溝と、制限ブロックと、第二ばねとによって構成され、
前記スライドチャンバの右側には噛合チャンバが連通するように設置され、前記噛合チャンバの前後内壁の間には伝動軸が回転可能に装着され、前記伝動軸には歯車が固定的に装着され、前記歯車は前記捕獲ブロックと噛み合うことができ、前記噛合チャンバの右側には引掛り溝が連通するように設置され、前記引掛り溝の中には歯ブロックがスライド可能に装着され、前記歯ブロックと前記歯車とは噛み合っており、前記歯ブロックの下方には押し溝が設置され、前記押し溝には押しブロックがスライド可能に装着され、前記押し溝の下方には制限溝が連通するように設置され、前記制限溝と前記水管とは連通しており、前記制限溝の中には制限ブロックがスライド可能に装着され、前記制限ブロックの左側面と前記制限溝の左側内壁との間には第二ばねが固定的に装着され、前記制限ブロックと前記押しブロックとはスライド可能に装着されていることを特徴とする請求項４に記載の養魚池用誘蛾灯。
【請求項６】
前記照明チャンバの中にはガラス板が固定的に装着され、前記排水チャンバの中にはガラス層が固定的に装着されていることを特徴とする請求項５に記載の養魚池用誘蛾灯。
【請求項７】
前記排水機構は伝動チャンバと、第一傘歯車と、スリップバーと、第二傘歯車と、第三傘歯車と、旋転軸と、第四傘歯車と、圧力ブロックと、ネジ山溝とによって構成され、
前記噛合チャンバの後側には伝動チャンバが連通するように設置され、前記歯車の後側にある前記伝動軸には第一傘歯車が固定的に装着され、前記伝動チャンバの右側内壁にはスリップバーが回転可能に装着され、前記スリップバーは左へ伸びて前記噛合チャンバの右壁を貫通し、前記スリップバーの左側面には第二傘歯車が固定的に装着され、前記第二傘歯車と前記第一傘歯車とは噛み合っており、前記スリップバーには第三傘歯車が固定的に装着され、前記伝動チャンバと前記排水チャンバとの間には旋転軸が回転可能に装着され、前記旋転軸の頂面には第四傘歯車が固定的に装着され、前記第四傘歯車と前記第三傘歯車とは噛み合っており、前記排水チャンバの中には圧力ブロックがスライド可能に装着され、前記圧力ブロックの中にはネジ山溝が設置され、前記ネジ山溝と前記旋転軸とはネジ山によって装着されていることを特徴とする請求項６に記載の養魚池用誘蛾灯。
【請求項８】
前記推動溝の中には推動ブロックがスライド可能に装着され、前記推動ブロックの中には抜き穴が設置され、前記推動ブロックの底面には傾斜溝が設置され、前記旋転チャンバの中にある前記動力軸にはネジ山ブロックがネジ山によって連結され、前記ネジ山ブロックの中には環状溝が設置され、前記環状溝の中には付勢ブロックがスライド可能に装着され、前記付勢ブロックと前記傾斜溝とはスライド可能に装着されていることを特徴とする請求項７に記載の養魚池用誘蛾灯。